【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
商品に対応して配備される電子棚札と、
前記商品に関する価格情報を前記電子棚札に送信する価格管理装置と、
を備え、
前記価格情報は、
前記商品の実売価格に関する情報である実売価格情報と、
収集された前記商品のネット販売参考価格に関する情報であるネット販売参考価格情報と、
を含み、
前記電子棚札は、
前記価格管理装置から送信された前記実売価格情報を表示する表示部と、
前記表示部に表示させる内容を制御する表示制御部と、
を有し、
前記価格管理装置は、収集された前記商品のネット販売参考価格の変化に応じて、前記商品の実売価格を自動的に変更する、
電子棚札システム。
【請求項２】
商品に対応して配備される電子棚札と、
前記商品に関する価格情報を前記電子棚札に送信する価格管理装置と、
を備え、
前記価格情報は、
前記商品の実売価格に関する情報である実売価格情報と、
収集された前記商品のネット販売参考価格に関する情報であるネット販売参考価格情報と
を含み、
前記電子棚札は、
前記価格管理装置から送信された前記実売価格情報および前記ネット販売参考価格情報を表示する表示部と、
前記表示部に表示させる内容を制御する表示制御部と、
を有する、
電子棚札システム。
【請求項３】
前記価格管理装置は、
ｗｅｂページに掲載されている前記ネット販売参考価格に関する情報を所定の時間間隔で収集する参考価格情報収集部を有する、
請求項１又は２に記載の電子棚札システム。
【請求項４】
前記参考価格情報収集部は、所定の一のｗｅｂページから、前記ネット販売参考価格に関する情報を収集する、
請求項３に記載の電子棚札システム。
【請求項５】
前記参考価格情報収集部は、複数のｗｅｂページを所定の時間間隔で巡回し、複数の前記ネット販売参考価格に関する情報を収集する、
請求項３に記載の電子棚札システム。
【請求項６】
前記表示部は、前記複数のｗｅｂページから収集した前記複数のネット販売参考価格に関する情報を表示する、
請求項５に記載の電子棚札システム。
【請求項７】
前記価格管理装置は、
前記参考価格情報収集部によって前記ネット販売参考価格情報が収集された時刻に関する情報を記憶する収集時刻記憶部
をさらに有し、
前記電子棚札は、
前記時刻に関する情報を前記価格管理装置から取得する時刻情報取得部
をさらに有し、
前記表示部は、前記ネット販売参考価格情報とともに、前記ネット販売参考価格が取得された前記時刻を表示する、
請求項３から６のいずれかに記載の電子棚札システム。
【請求項８】
前記価格管理装置は、
前記実売価格と前記ネット販売参考価格との差が、所定の値よりも大きい場合に、所定のアドレスにメールを送信するメール送信部
をさらに有する、
請求項１から７のいずれかに記載の電子棚札システム。
【手続補正２】
【補正対象書類名】明細書
【補正対象項目名】全文
【補正方法】変更
【補正の内容】
【発明の詳細な説明】
【発明の名称】電子棚札システム
【技術分野】
【０００１】
本発明は、電子棚札システムに関する。
【背景技術】
【０００２】
近年、スーパーマーケットや家電量販店等の店舗において、電子棚札システムが採用されている。電子棚札システムでは、取り扱われる複数の商品についての情報（商品情報）がサーバで一元管理されている。商品情報には、商品名および商品の価格（実売価格）に関する情報が含まれる。商品情報は、サーバから電子棚札に送られ、電子棚札に表示される。電子棚札は、例えば、特許文献１（特開２０１３―０６５３４９号公報）に示すように、店舗において、複数の商品それぞれに対応付けられて配置される。
【発明の概要】
【発明が解決しようとする課題】
【０００３】
ところで、近年、オンラインショッピング（ネットショッピング）で商品を購入する需要者が増えてきた。オンラインショッピングは、簡便に商品を購入できることから、幅広い需要者に急速に普及している。さらに、スマートフォンの普及により、買い物中にインターネットにアクセスすることが容易になっている。そのため、需要者は、店舗で商品を確認した後、普段オンラインショッピングで利用するｗｅｂページにアクセスし、ネット上での当該商品の販売価格（ネット販売価格）を確認し、店頭での当該商品の販売価格（実売価格）とネット販売価格とを比較することが多くなった。ここで、需要者は、実売価格とネット販売価格との差があまりない場合に、店舗での商品の購入を決定する。
【０００４】
本発明の課題は、需要者のネット検索の手間を省くとともに、商品を効果的に販売することを可能にする電子棚札システムを提供することにある。
【課題を解決するための手段】
【０００５】
本発明に係る電子棚札システムは、電子棚札と、価格管理装置と、を備える。電子棚札は、商品に対応して配備される。価格管理装置は、商品に関する価格情報を電子棚札に送信する。価格情報は、実売価格情報と、ネット販売参考価格情報とを含む。実売価格情報は、商品の実売価格に関する情報である。ネット販売参考価格情報は、収集された商品のネット販売参考価格に関する情報である。電子棚札は、表示部と、表示制御部とを有する。表示部は、価格管理装置から送信された実売価格情報およびネット販売参考価格情報を表示する。表示制御部は、表示部に表示させる内容を制御する。
【０００６】
本発明に係る電子棚札システムでは、電子棚札の表示部に、実売価格情報およびネット販売参考価格情報が表示される。これにより、需要者のネット検索の手間を省き、商品を効果的に販売することができる。
【０００７】
また、価格管理装置は、参考価格情報収集部を有することが好ましい。参考価格情報収集部は、ｗｅｂページに掲載されているネット販売参考価格に関する情報を所定の時間間隔で収集する。これにより、ネット販売参考価格の信頼性を向上させることができる。
【０００８】
また、参考価格情報収集部は、所定の一のｗｅｂページから、ネット販売参考価格に関する情報を収集することが好ましい。商品価格について信頼性のあるｗｅｂページからネット販売参考価格に関する情報を取得することにより、実売価格の妥当性を明確に示すことができる。
【０００９】
また、参考価格情報収集部は、複数のｗｅｂページを所定の時間間隔で巡回し、複数のネット販売参考価格に関する情報を収集してもよい。これにより、複数のサイトから収集した商品に関するネット販売参考価格を活用することが可能になる。
【００１０】
さらに、表示部は、複数のｗｅｂページから収集した複数のネット販売参考価格に関する情報を表示することが好ましい。これにより、需要者に対し、実売価格の妥当性の判断を可能にする情報を提供することができる。
【００１１】
また、価格管理装置は、収集時刻記憶部を有し、電子棚札は、時刻情報取得部をさらに有することが好ましい。収集時刻記憶部は、参考価格情報収集部によってネット販売参考価格情報が収集された時刻に関する情報を記憶する。時刻情報取得部は、時刻に関する情報を価格管理装置から取得する。表示部は、ネット販売参考価格情報とともに、ネット販売参考価格が取得された時刻を表示する。これにより、需要者の信頼度を高めることができる。
【００１２】
さらに、価格管理装置は、メール送信部を有することが好ましい。メール送信部は、実売価格とネット販売参考価格との差が、所定の値よりも大きい場合に、所定のアドレスにメールを送信することが好ましい。これにより、ネット販売参考価格と実売価格との乖離を抑制することができる。
【００１３】
また、別の本発明に係る電子棚札システムは、電子棚札と、価格管理装置と、を備える。電子棚札は、商品に対応して配備される。価格管理装置は、商品に関する価格情報を電子棚札に送信する。価格情報は、実売価格情報と、ネット販売参考価格情報とを含む。実売価格情報は、商品の実売価格に関する情報である。ネット販売参考価格情報は、収集された商品のネット販売参考価格に関する情報である。電子棚札は、表示部と、表示制御部とを有する。表示部は、価格管理装置から送信された実売価格情報を表示する。表示制御部は、表示部に表示させる内容を制御する。価格管理装置は、収集された商品のネット販売参考価格の変化に応じて、商品の実売価格を自動的に変更する。
【発明の効果】
【００１４】
本発明に係る電子棚札システムは、需要者のネット検索の手間を省くとともに、商品を効果的に販売することができる。
【図面の簡単な説明】
【００１５】
【図１】本発明の一実施形態に係る電子棚札システムを示す図である。
【図２】ＥＳＬの外観を示す図である。
【図３】ＥＳＬの概略構成を示すブロック図である。
【図４】ＥＳＬサーバの概略構成を示すブロック図である。
【図５】商品マスタテーブルの例を示す図である。
【図６】ＥＳＬマスタテーブルの例を示す図である。
【図７】ネット情報テーブルの例を示す図である。
【図８】担当者テーブルの例を示す図である。
【図９】ネット販売参考価格の更新処理の流れを示す図である。
【図１０】変形例Ｄ係るネット情報テーブルの例を示す図である。
【図１１】変形例Ｄに係るＥＳＬの外観を示す図である。
【発明を実施するための形態】
【００１６】
以下、図面を参照しながら、本発明の一実施形態に係る電子棚札システムを説明する。
【００１７】
（１）全体構成
図１に、本発明に係る電子棚札システム１を示す。電子棚札システム１は、家電量販店の店舗において、商品の発注、生産、販売、価格等に関するデータを一括管理するシステムである。
【００１８】
図１に示すように、電子棚札システム１は、主として、ＥＳＬサーバ１０と、ベースステーション２０と、複数のトランシーバ３０，３０，・・・と、複数の電子棚札（ＥＳＬ）４０，４０，・・・とから構成されている。電子棚札システム１に含まれるＥＳＬ４０、ベースステーション２０、およびトランシーバ３０の数は、図１に示される数に限定されるものではない。
【００１９】
ＥＳＬ４０は、店舗で取り扱われる複数の商品のそれぞれに対応付けて配置される表示端末である。ＥＳＬ４０は、対応付けられた商品に係る商品情報を表示する（図２参照）。ＥＳＬ４０は、店舗の売り場で陳列される複数の商品（または、商品の見本）の近傍にそれぞれ配置される。
【００２０】
ＥＳＬサーバ１０は、店舗で取り扱われる複数の商品の情報を一元管理する汎用のコンピュータである。ＥＳＬサーバ１０は、店舗のバックヤード等に配置される。また、ＥＳＬサーバ１０は、複数のＥＳＬ４０の表示内容を管理する。具体的に、ＥＳＬサーバ１０は、管理する商品情報が更新されると、ＥＳＬ４０に表示させる商品情報を更新させるためにコマンドを生成し、当該コマンドをＥＳＬ４０に対して送信する。
【００２１】
ＥＳＬサーバ１０は、専用の通信ケーブル２を介して、ベースステーション２０と接続されている。ＥＳＬサーバ１０およびＥＳＬ４０は、ベースステーション２０およびトランシーバ３０を介して信号の授受を行う。ＥＳＬサーバは、さらに、本部に配置されたサーバとインターネット回線を介して接続されている。
【００２２】
ベースステーション２０は、ＥＳＬサーバ１０とトランシーバ３０とを中継する機能を有する。ベースステーション２０は、専用の通信ケーブル２を介して、ＥＳＬサーバ１０およびトランシーバ３０と接続されている。
【００２３】
トランシーバ３０は、送受信機である。具体的に、トランシーバ３０は、ＥＳＬ４０への送信機能と、ＥＳＬ４０から送られる応答信号の受信機能とを併せ持つ。より具体的に、トランシーバ３０は、ＥＳＬサーバ１０から送られた信号を、赤外線等を使用した無線によって各ＥＳＬ４０に送信する。また、トランシーバ３０は、ＥＳＬ４０から無線で送られる応答信号を受信して、ＥＳＬサーバ１０に送る。トランシーバ３０は、例えば、店舗内（例えば、天井）の区画毎に、一定の間隔を空けて取り付けられる。
【００２４】
ＥＳＬサーバ１０において、コマンドが生成されると、ＥＳＬサーバ１０は、ベースステーション２０およびトランシーバ３０を介して、当該コマンドをＥＳＬ４０へ送信する。コマンドは、ＥＳＬ４０に対して、各種処理の実行を指令する信号である。コマンドには、ＥＳＬ４０に実行させる処理に関する情報が含まれる。例えば、コマンドに含まれる情報には、ＥＳＬ４０の画面に表示させる商品情報（例えば、イメージ情報）が含まれる。また、コマンドには、コマンドを実行させる対象となるＥＳＬ（対象ＥＳＬ）の識別子が付加される。各ＥＳＬ４０は、ＥＳＬサーバ１０から送信されたコマンドを検知すると、コマンドに付加された識別子（付加識別子）と、各ＥＳＬ４０がそれぞれ有する固有の識別子（固有識別子）とを比較する。各ＥＳＬ４０は、付加識別子と固有識別子とが同じである場合に、コマンドを受信し、コマンドに基づいて画面に表示する商品情報を更新する。このように、ＥＳＬ４０は、ＥＳＬサーバ１０から送られたコマンドに応じて、表示内容を更新または変化させる。
【００２５】
以下、ＥＳＬ４０およびＥＳＬサーバ１０の構成について詳細に説明する。
【００２６】
（２）ＥＳＬ
ＥＳＬ４０は、図２に示すように、商品情報を表示させるための端末である。ＥＳＬ４０は、上述したように、店舗で取り扱われる商品に対応付けられ、対応付けられた商品に係る情報（商品情報）を表示する。ＥＳＬ４０は、対応付けられた商品（または商品の見本）の近傍に配置される。
【００２７】
ＥＳＬ４０は、枠体４０ａの内部に、電力源としての電池を備える。また、ＥＳＬ４０は、電池から供給される電力を蓄えるコンデンサを備える。なお、コンデンサには、後述する制御装置４３に含まれる昇圧回路によって昇圧された電力が蓄えられる。ＥＳＬ４０は、電池およびコンデンサによって駆動する。
【００２８】
ＥＳＬ４０は、図３に示すように、主として、通信部４１と、表示部４２と、制御装置４３とを有する。
【００２９】
（２−１）通信部
通信部４１は、トランシーバ３０や外部端末（例えば、図示しない携帯端末）との通信を可能にする。具体的に、通信部４１は、ＥＳＬサーバ１０によるコマンドの送信に伴ってトランシーバ３０から送られる赤外線を受信する受信部として機能する。
【００３０】
また、通信部４１は、ＥＳＬサーバ１０に対して応答信号を送信する送信部としても機能する。ここで、応答信号とは、ＥＳＬサーバ１０から送られたコマンドの受信を知らせるための信号である。通信部４１は、図２に示すように、ＥＳＬ４０の枠体４０ａに設けられる。
【００３１】
（２−２）表示部
表示部４２は、商品に関する情報を表示させる画面を構成する。表示部４２は、電子ペーパーからなる。すなわち、表示部４２は、ドットマトリクス方式の不揮発性表示部であり、マトリクス状に配列された複数の画素で構成される。表示部４２は、表示内容の保持に駆動電力を必要としない。
【００３２】
表示部４２は、ＥＳＬサーバ１０から送られるコマンドに基づいて、商品情報を表示する。ここで、ＥＳＬ４０に表示される商品情報には、図２に示すように、商品名ｐｎ、商品の実売価格ａｐ、ネット販売参考価格ｎｐ１、ネット情報の収集時刻（収集時刻）ｔｍ、およびメッセージｍに関する情報が含まれる。
【００３３】
商品名ｐｎは、商品を特定するための名前である。図２に示すＥＳＬ４０では、商品名ｐｎとして、「ＡＢＣ社ブルーレイレコーダー  型番：ＲＭＤ−６５０」が表示されている。
【００３４】
実売価格ａｐは、実際の販売価格である。図２に示すＥＳＬ４０では、実売価格ａｐとして、「４５，５００円」の文字が示されている。
【００３５】
ネット販売参考価格ｎｐ１は、オンラインショッピングのｗｅｂページから取得された当該商品の販売価格である。言い換えると、ネット販売参考価格ｎｐ１とは、オンラインショッピングのｗｅｂページで販売されている当該商品の価格である。ネット販売参考価格ｎｐ１は、商品の参考価格として消費者に対して提供されるものである。図２に示すＥＳＬ４０では、ネット販売参考価格ｎｐ１として、「４５，６００円」の文字が示されている。
【００３６】
収集時刻ｔｍは、ネット販売参考価格ｎｐ１が収集された時刻である。すなわち、収集時刻ｔｍとは、ＥＳＬサーバ１０がネット販売参考価格に関する情報（ネット販売参考価格情報）を収集した時刻である。図２に示すＥＳＬ４０では、収集時刻ｔｍとして、「１１／０７  １７：００  時点」の文字が示されている。
【００３７】
メッセージｍは、広告文や見出し等の情報である。図２に示すＥＳＬ４０では、メッセージｍとして、「期間限定特別価格」の文字が示されている。
【００３８】
表示部４２に表示される内容は、ＥＳＬサーバ１０から送られたコマンドに基づいて更新される。
【００３９】
（２−３）制御装置
制御装置４３は、ＣＰＵ、ＲＯＭおよびＲＡＭ等によって構成され、記憶部４３ａ、コマンド受付部（時刻情報取得部）４３ｂ、および表示制御部４３ｃとして機能する。
【００４０】
（２−３−１）記憶部
記憶部４３ａは、ＥＳＬ４０の画面を管理するためのプログラムの他、各ＥＳＬ４０に固有の識別子（機器ＩＤ）、イメージ情報等を記憶する。ここで、イメージ情報とは、直近に受信したコマンドに含まれたイメージ情報である。イメージ情報は、新たなコマンドが受け付けられると、新たなコマンドに含まれるイメージ情報によって上書きされる。イメージ情報には、上述した表示部４２に表示するための商品情報が含まれる。具体的には、商品名ｐｎ、実売価格ａｐ、ネット販売参考価格ｎｐ１、収集時刻ｔｍ、およびメッセージｍが含まれる。
【００４１】
（２−３−２）コマンド受付部
コマンド受付部４３ｂは、所定の時間間隔で、運転モードを、スリープモードからアクティブモードに切り替える。
【００４２】
また、コマンド受付部４３ｂは、通信部４１を介して、ＥＳＬサーバ１０から送られるコマンドを受け付ける。具体的に、コマンド受付部４３ｂは、トランシーバ３０から送られるコマンドを検知すると、検知したコマンドに付加された識別子（付加識別子）と、記憶部４３ａに記憶された各ＥＳＬ４０に固有の識別子（固有識別子）とを比較して、付加識別子と固有識別子とが一致した場合に限り、コマンドを受け付ける。コマンド受付部４３ｂは、受け付けたコマンドを記憶部４３ａに記憶する。新たなコマンドが記憶部４３ａに記憶されることで、先に記憶していた古いコマンドがクリアされる。コマンド受付部４３ｂは、ＥＳＬサーバ１０から送られたコマンドを受信すると、ＥＳＬサーバ１０に向けて応答信号（Ａｃｋ）を送信する。
【００４３】
なお、コマンド受付部４３ｂが受け付けるコマンドには、上述したように、例えば、ＥＳＬ４０の画面に表示させる商品情報（例えば、イメージ情報や情報そのもの）が含まれる。すなわち、コマンドには、商品名ｐｎ、実売価格ａｐ、ネット販売参考価格ｎｐ１、収集時刻ｔｍ、およびメッセージｍに関する情報が含まれる。
【００４４】
（２−３−３）表示制御部
表示制御部４３ｃは、コマンド受付部４３ｂによって受け付けられたコマンドを実行して、表示部４２に商品情報を表示させる。言い換えると、表示制御部４３ｃは、記憶部４３ａに新たに記憶されたコマンドに基づいて、表示部４２に表示される内容の更新（変更）を行う。すなわち、表示制御部４３ｃは、新たなイメージ情報に基づいて、表示画面を更新する。
【００４５】
（３）ＥＳＬサーバ
ＥＳＬサーバ１０は、上述したように、店舗で取り扱う複数の商品についての商品情報を一元管理する。すなわち、ＥＳＬサーバ１０には、店舗で取り扱う全ての商品に関する種々の情報が記憶されている。ＥＳＬサーバ１０は、上述したように、店舗のバックヤード等に設置される。ＥＳＬサーバ１０は、ワークステーションやパーソナルコンピュータ等のコンピュータに、電子棚札システム１を制御するためのソフトウェアをインストールした装置である。
【００４６】
ＥＳＬサーバ１０は、図４に示すように、主として、通信部１１と、表示部１２と、入力部１３と、出力部１４と、報知部１５と、制御装置１６とを有する。
【００４７】
（３−１）通信部
通信部１１は、ベースステーション２０との通信を可能にするための通信インターフェースである。通信部１１からベースステーション２０に送られたコマンドは、さらにトランシーバ３０を介してＥＳＬ４０に到達する。
【００４８】
（３−２）表示部
表示部１２は、液晶ディスプレイからなる。
【００４９】
（３−３）入力部
入力部１３は、マウスおよびキーボードからなる。
【００５０】
（３−４）出力部
出力部１４は、プリンタである。出力部１４は、ＥＳＬサーバ１０内の各種データの集計結果等を出力する。また、出力部１４は、商品に関するＰＯＰを出力可能な構成を有する。
【００５１】
（３−５）報知部
報知部１５は、ＥＳＬ４０にコマンドを送信する際に通信エラーが発生した場合や、ＥＳＬ４０に対してコマンドの送信ができなかった場合等に、オペレータに注意喚起させるための報知を行う。例えば、報知部１５は、アラームを発生させるアラーム発生装置である。
【００５２】
（３−６）制御装置
制御装置１６は、ＣＰＵ、ＲＯＭ、ＲＡＭ、およびハードディスクによって構成され、記憶部６１および制御部６２として機能する。
【００５３】
（３−６−１）記憶部
記憶部６１は、後述する制御部６２が実行するための制御プログラムを記憶する。記憶部６１は、図４に示すように、主として、商品マスタテーブル６１ａと、ＥＳＬマスタテーブル６１ｂと、ネット情報テーブル６１ｃと、担当者テーブル６１ｄとが記憶されている。
【００５４】
（ａ）商品マスタテーブル
商品マスタテーブル６１ａは、電子棚札システム１で取り扱う商品に関する情報（商品情報）を記憶する。ＥＳＬ４０に表示させるイメージ情報は、商品マスタテーブル６１ａに記憶された商品情報に基づいて作成される。
【００５５】
図５に示すように、商品マスタテーブル６１ａには、例えば、商品の種類、社名、型番、商品コード、および価格（実売価格）等の各種情報が関連付けて記憶されている。
【００５６】
（ｂ）ＥＳＬマスタテーブル
ＥＳＬマスタテーブル６１ｂには、電子棚札システム１に配置された全ＥＳＬ４０に関する基本情報が記憶されている。ＥＳＬマスタテーブル６１ｂに記憶される情報は、オペレータによって予め入力される。
【００５７】
例えば、ＥＳＬマスタテーブル６１ｂには、図６に示すように、ＥＳＬ４０の機器ＩＤと商品コードとが関連付けて記憶されている。ここで、機器ＩＤとは、全ＥＳＬ４０のそれぞれに固有の識別子である。言い換えると、機器ＩＤとは、各ＥＳＬ４０に固有のハードウェアＩＤである。商品コードは、ＥＳＬ４０に対応付けられた商品についてのコードである。
【００５８】
（ｃ）ネット情報テーブル
ネット情報テーブル６１ｃには、後述するネット情報収集部６２ｂによって収集された商品に係るネット情報を記憶する。ネット情報とは、オンラインショッピングのｗｅｂページから取得される情報である。ネット情報は、例えば、図７に示すように、情報の収集元（ショッピングサイト）の名称、ネット販売参考価格ｎｐ１、およびネット情報の収集時刻ｔｍを含む。情報の収集元とは、当該商品を販売しているショッピングサイトである。すなわち、ネット販売参考価格ｎｐ１とは、オンラインショッピングのサイトのｗｅｂページに載せられた商品の販売価格である。収集時刻ｔｍは、当該ネット販売参考価格が後述するネット情報収集部６２ｂによって収集された時刻である。
【００５９】
図７に示すように、ネット情報テーブル６１ｃには、商品コード、取得元、ネット販売参考価格、および収集時刻のそれぞれを記憶するためのフィールドが設けられている。ネット情報テーブル６１ｃにおいて、商品コードを記憶するためのフィールド、取得元を記憶するためのフィールド、ネット販売参考価格を記憶するためのフィールド、および収集時刻を記憶するためのフィールド（収集時刻記憶部）６１１は、それぞれ関連付けられている。なお、商品コードは、上述した商品マスタテーブル６１ａに記憶されている商品コードに関連付けられている。
【００６０】
（ｄ）担当者テーブル
担当者テーブル６１ｄには、所定の状況が発生した場合に、通知を行うための担当者に関する情報（担当者情報）が記憶されている。担当者情報は、例えば、図８に記憶されているように、商品コード、担当者番号、担当者名、および担当者の連絡先（例えば、ｅ−ｍａｉｌアドレス）を記憶するためのフィールドが設けられている。各フィールドに記憶された情報はそれぞれ関連付けられている。担当者テーブル６１ｄは、後述する判定部６２ｆによる判定の結果、通知の必要があると判定された場合に、参照される。
【００６１】
（３−６−２）制御部
制御部６２は、記憶部６１に記憶されているプログラムや各種情報に基づいて各種制御を行う。また、制御部６２は、図４に示すように、情報受付部６２ａ、ネット情報収集部（参考価格情報収集部）６２ｂ、コマンド生成部６２ｃ、情報送信部６２ｄ、応答信号受付部６２ｅ、判定部６２ｆ、およびメール送信部６２ｇとして機能する。
【００６２】
（ａ）情報受付部
情報受付部６２ａは、入力部１３を介して入力された各種情報を受け付ける。情報受付部６２ａによって受け付けられる各種情報には、例えば、商品情報、ＥＳＬ４０に関する情報、およびネット情報の収集元に関する情報等が含まれる。情報受付部６２ａによって受け付けられた各種情報は、記憶部６１に記憶される。
【００６３】
（ｂ）ネット情報収集部
ネット情報収集部６２ｂは、記憶部６１に記憶されているプログラムに基づいて、商品に関するネット情報を収集する。ネット情報収集部６２ｂは、所定の時間間隔でネット情報を収集する。所定の時間間隔とは、例えば、２４時間間隔（一日一回）である。ネット情報とは、対象商品の販売価格（ネット販売価格）である。具体的に、ネット情報収集部６２ｂは、当該プログラムに記憶されている情報に基づき、所定のオンラインショッピングサイトのｗｅｂページに掲載されている商品の販売価格を収集する。
【００６４】
ここで、所定のオンラインショッピングサイトとは、管理者が任意で設定したショッピングサイトである。所定のオンラインショッピングサイトは、顧客によく知られているオンラインショッピングサイト、あるいは、顧客にとって信頼性の高いオンラインショッピングサイトであることが好ましい。
【００６５】
ネット情報収集部６２ｂは、ネット情報を収集すると、収集元のオンラインショッピングサイトの名称とともに、当該ネット情報を、ネット情報を収集した時刻とともに、ネット情報テーブル６１ｃに記憶させる（図７参照）。
【００６６】
（ｃ）コマンド生成部
コマンド生成部６２ｃは、入力部１３を介して入力されたオペレータからの指令、後述する判定部６２ｆからの指令、若しくは、記憶部６１に記憶されたプログラムに基づいて、ＥＳＬ４０に向けて送信されるコマンドを生成する。コマンドは、ＥＳＬ４０の表示内容の更新あるいは記憶されている情報の更新を指令する。上述したように、コマンドには、ＥＳＬ４０の画面に表示させる商品情報（イメージ情報）が含まれる。具体的に、コマンドには、商品名ｐｎ、実売価格ａｐ、ネット販売参考価格ｎｐ１、収集時刻ｔｍ、およびメッセージｍを含むイメージ情報が含まれる（図２参照）。
【００６７】
（ｄ）情報送信部
情報送信部６２ｄは、コマンド生成部６２ｃによって生成されたコマンドを、ＥＳＬ４０に向けて送信する。なお、情報送信部６２ｄは、コマンドに、送信先のＥＳＬ４０に固有の識別子（機器ＩＤ）を付して送信する。具体的に、情報送信部６２ｄは、コマンドを実行させる対象となるＥＳＬ４０の機器ＩＤに続けて、コマンドを送信する。
【００６８】
なお、情報送信部６２ｄは、後述する応答信号受付部６２ｅによって所定時間内に応答信号が受け付けられなかった場合には、コマンドを再送する。コマンドの再送は、所定回数繰り返される。
【００６９】
（ｅ）応答信号受付部
応答信号受付部６２ｅは、ＥＳＬ４０から送信された応答信号を受け付ける。具体的に、応答信号受付部６２ｅは、ＥＳＬ４０から送信された応答信号をトランシーバ３０およびベースステーション２０を介して受け付ける。
【００７０】
応答信号受付部６２ｅは、情報送信部６２ｄによってＥＳＬ４０に対するコマンドが送信された後の所定時間（例えば、１秒間）、ＥＳＬ４０から送られる応答信号を受け付けるために待機する。応答信号受付部６２ｅは、所定時間内に応答信号を受け付けた場合は、その旨を記憶部６１に記憶する。一方、応答信号受付部６２ｅは、所定時間内に応答信号を受け付けなかった場合には、情報送信部６２ｄにコマンドの再送を指令する。また、情報送信部６２ｄによってコマンドの再送が所定回数実行されたにもかかわらず、応答信号を受け付けなかった場合には、応答信号受付部６２ｅは、その旨を記憶部６１に記憶する。
【００７１】
（ｆ）判定部
判定部６２ｆは、記憶部６１に記憶されたプログラムに基づいて、実売価格ａｐとネット販売参考価格ｎｐ１との差が所定の閾値以下かどうかを判定し、判定結果に基づいて、実売価格ａｐの変更の要否をさらに判定する。
【００７２】
所定の閾値とは、管理者によって任意に設定できる値である。所定の閾値とは、商品マスタテーブル６１ａに記憶されている商品の価格（実売価格）ａｐを基準として、下方に幅を持たせるための値である。すなわち、所定の閾値は、実売価格ａｐよりもネット販売参考価格ｎｐ１が安値である場合の許容可能な範囲を定義するためのものである。
【００７３】
例えば、設定された所定の閾値が、「５，０００円」であるとき、判定部６２ｆは、実売価格ａｐとネット販売参考価格ｎｐ１との差が５，０００円以内であるかどうかを判定する。実売価格ａｐとネット販売参考価格ｎｐ１との差が５，０００円以内であれば、判定部６２ｆは、実売価格ａｐの変更が不要であると判定する。一方、設定された所定の閾値が、「５，０００円」であるときに、実売価格ａｐとネット販売参考価格ｎｐ１との差が５，０００円より大きい場合は、判定部６２ｆは、実売価格ａｐの変更が必要であると判定する。
【００７４】
なお、所定の閾値は、商品毎に設定されていてもよいし、商品の種類毎（例えば、テレビ、ＤＶＤレコーダー、冷蔵庫等）に設定されていてもよい。
【００７５】
判定部６２ｆは、ネット情報収集部６２ｂによってネット情報が収集される度に（あるいは、ネット販売参考価格ｎｐ１が更新される度に）、実売価格ａｐとネット販売参考価格ｎｐ１との差を算出する。さらに、判定部６２ｆは、実売価格ａｐとネット販売参考価格ｎｐ１との差と、所定の閾値とを比較し、当該差が、所定の閾値以下かどうかを判定する。ここで、実売価格ａｐとネット販売参考価格ｎｐ１との差が所定の閾値以下である場合には、コマンド生成部６２ｃに対して、イメージ情報の更新を指令する。一方、当該差が、所定の閾値よりも大きい場合には、後述するメール送信部６２ｇに対して、メールの送信を指令した後、コマンド生成部６２ｃに対して、イメージ情報の更新を指令する。
【００７６】
（ｇ）メール送信部
メール送信部６２ｇは、判定部６２ｆによる判定結果に基づいて、担当者に対して所定のメールを送信する。具体的に、メール送信部６２ｇは、判定部６２ｆによって実売価格ａｐとネット販売参考価格ｎｐ１との差が所定の閾値よりも大きいと判定された場合に、担当者に対して所定のメールを送信する。
【００７７】
ここで、所定のメールとは、実売価格ａｐとネット販売参考価格ｎｐ１との差が所定の閾値を超えた値になっている旨を通知するためのメールである。言い換えると、所定のメールは、ネット販売参考価格ｎｐ１が実売価格ａｐよりも安く、かつ、ネット販売参考価格ｎｐ１と実売価格ａｐとの差が大きくなりすぎていることを、担当者に伝えるためのメールである。すなわち、所定のメールによって、担当者は、実売価格ａｐがオンラインショッピングで購入する際の価格に対して高くなりすぎていることを知る。
【００７８】
（４）ネット販売参考価格の更新処理
次に、図９を参照して、ネット販売参考価格ｎｐ１の更新処理の流れを説明する。図９では、特に、ＥＳＬサーバ１０における処理の流れを説明する。ＥＳＬ４０では、ＥＳＬサーバ１０からのコマンドに基づいてネット販売参考価格ｎｐ１が更新される。
【００７９】
ステップＳ１１では、ネット情報収集部６２ｂによってネット情報が収集されたか否かが判定される。ステップＳ１１において、ネット情報が収集されたと判定されるまで待機し、ネット情報が収集されたと判定されると、ステップＳ１２に進む。
【００８０】
ステップＳ１２では、ネット情報収集部６２ｂによって収集されたネット情報が、ネット情報テーブル６１ｃに記憶される。その後、ステップＳ１３に進む。
【００８１】
ステップＳ１３では、判定部６２ｆによって、実売価格ａｐとネット販売参考価格ｎｐ１との差が算出される。その後、ステップＳ１４に進み、判定部６２ｆによって、当該差が、所定の閾値以下か否かが判定される。ステップＳ１４において、実売価格ａｐとネット販売参考価格ｎｐ１との差が所定の閾値以下であると判定されると、ステップＳ１６に進む。一方、ステップＳ１４において、実売価格ａｐとネット販売参考価格ｎｐ１との差が所定の閾値より大きいと判定されると、ステップＳ１５に進む。
【００８２】
ステップＳ１５では、メール送信部６２ｇによって、対象商品の担当者宛に所定のメールが送信される。すなわち、対象商品の対象者に対して、実売価格ａｐとネット販売参考価格ｎｐ１との差が所定の閾値より大きくなっている旨を伝えるメールが送られる。その後、ステップＳ１６に進む。
【００８３】
ステップＳ１６では、判定部６２ｆによって、コマンド生成部６２ｃに対し、イメージ情報の更新の指令が送られる。その後、ステップＳ１７に進む。
【００８４】
ステップＳ１７では、コマンド生成部６２ｃによって生成されたコマンドが、情報送信部６２ｄによって、対象となるＥＳＬ４０に対して送信される。
【００８５】
（５）特徴
（５−１）
上記実施形態に係る電子棚札システム１では、ＥＳＬ（電子棚札）４０と、ＥＳＬサーバ（価格管理装置）１０と、を備える。ＥＳＬ４０は、商品に対応して配備される。ＥＳＬサーバ１０は、商品に関する価格情報をＥＳＬ４０に送信する。価格情報は、実売価格ａｐおよびネット販売参考価格ｎｐ１に関する情報を含む。実売価格情報は、商品の実売価格に関する情報である。ネット販売参考価格情報は、収集された商品のネット販売参考価格に関する情報である。言い換えると、ネット販売参考価格情報は、実売価格の妥当性を判断するための材料として顧客に提供される参考価格に関する情報であって、オンラインショッピングサイトで掲載されている商品の販売価格（ネット販売価格）に関する情報である。ＥＳＬ４０は、表示部４２と、表示制御部４３ｃとを有する。表示部４２は、ＥＳＬサーバ１０から送信された実売価格（実売価格情報）ａｐおよびネット販売参考価格（ネット販売参考価格情報）ｎｐ１を表示する。表示制御部４３ｃは、表示部４２に表示させる内容を制御する。
【００８６】
近年、インターネットの普及により、多数のオンラインショッピングサイト（ネットショッピング）が運営されるようになってきた。従来は、商品を購入するためには、商品を販売している店舗に出向く必要があった。しかし、オンラインショッピングサイトを活用すると、店舗に出向くことなく必要な商品を手軽に購入できる。また、購入した商品は所望する場所に配達されるため、商品を店舗から持ち帰る必要もない。その結果、商品購入に際し、店舗ではなく、オンラインショッピングサイトを活用する需要者が増えてきた。さらに、近年では、スマートフォンの普及により、買い物中にインターネットにアクセスすることが容易になっている。そのため、店舗で商品を確認した後、普段利用するオンラインショッピングサイトのｗｅｂページにアクセスし、インターネット上での当該商品の販売価格（ネット販売価格）と、店頭での当該商品の販売価格（実売価格）とを比較し、その結果、購入を決定する需要者も増えてきた。一方、スマートフォンを利用していない需要者または携帯電話でインターネットを利用しない需要者は、一度インターネットにアクセスできる場所に移動し、そこで、ネット販売価格を確認する。その上で、店頭での実売価格が妥当であれば、改めて店舗に出向く。
【００８７】
しかし、一旦店舗に出向いた需要者が、ネット販売価格を確認するために、例えば、自宅に戻るのは手間がかかる。また、スマートフォン等のユーザである需要者が、興味を持った店頭の商品について、ネット検索を行い、ネット販売価格を確認するのも手間である。
【００８８】
そこで、上記実施形態に係る電子棚札システム１では、ＥＳＬ４０の表示部４２が、実売価格（実売価格情報）ａｐおよびネット販売参考価格（ネット販売参考価格情報）ｎｐ１の両方を表示する。これにより、需要者のネット検索の手間を省くことができる。また、実売価格ａｐがネット販売参考価格ｎｐ１と比較可能に表示されているため、商品を効果的に販売することができる。また、需要者に対して、リーズナブルな価格で商品が販売されていることの満足感を与えることが可能になる。
【００８９】
（５−２）
また、上記実施形態に係る電子棚札システム１では、ＥＳＬサーバ（価格管理装置）１０が、ネット情報収集部（参考価格情報収集部）６２ｂを有する。ネット情報収集部６２ｂは、ｗｅｂページに掲載されている商品の販売価格に関する情報を所定の時間間隔で収集する。これにより、ｗｅｂページに掲載されている商品の価格（ネット販売価格）が更新された場合であっても、ネット情報収集部６２ｂによって更新された情報が収集される。その結果、ＥＳＬ４０の表示部４２には、比較的新しい情報（ネット販売参考価格）ｎｐ１を表示することができる。これにより、ネット販売参考価格の信頼性を向上させることができる。
【００９０】
（５−３）
さらに、上記実施形態に係る電子棚札システム１では、ネット情報収集部（参考価格情報収集部）６２ｂは、所定の一のｗｅｂページから、ネット販売参考価格に関する情報を収集する。所定の一のｗｅｂページとは、所定のオンラインショッピングサイトのｗｅｂページである。すなわち、ネット情報収集部６２ｂは、オンラインショッピングサイトのｗｅｂページに掲載されている商品の販売価格を収集する。所定のオンラインショッピングサイトとして、顧客によく知られているオンラインショッピングサイト、あるいは、顧客にとって信頼性の高いオンラインショッピングサイトを設定することにより、需要者のニーズにこたえることができる。また、商品価格について信頼性のあるｗｅｂページからネット販売参考価格に関する情報（ネット販売価格）を取得することにより、需要者に対して、実売価格の妥当性をより明確に示すことができる。
【００９１】
（５−４）
また、上記実施形態に係る電子棚札システム１では、ＥＳＬサーバ（価格管理装置）１０が、ネット情報テーブル６１ｃを有する。ネット情報テーブル６１ｃには、収集時刻を記憶するためのフィールド（収集時刻記憶部）６１１が設けられている（図７参照）。当該フィールド６１１は、ネット情報取得部（参考価格情報収集部）６２ｂによってネット販売参考価格情報が収集された時刻に関する情報を記憶する。また、ＥＳＬ（電子棚札）４０は、コマンド受付部（時刻情報取得部）４３ｂをさらに有する。コマンド受付部４３ｂは、ＥＳＬサーバ１０から送られるコマンドを受け付ける。コマンドには、イメージ情報が含まれる。イメージ情報には、上述したように、商品名ｐｎ、商品の実売価格ａｐ、商品のネット販売参考価格（ネット販売価格）ｎｐ１、およびネット販売参考価格が取得された時刻ｔｍ、およびメッセージｍが含まれる。すなわち、表示部４２は、ネット販売参考価格ｎｐ１とともに、ネット販売参考価格が取得された時刻ｔｍを表示する。これにより、需要者の信頼度を高めることができる。
【００９２】
（５−５）
また、上記実施形態に係る電子棚札システム１では、ＥＳＬサーバ（価格管理装置）１０が、メール送信部６２ｇを有する。メール送信部６２ｇは、実売価格ａｐとネット販売参考価格ｎｐ１との差が、所定の値よりも大きい場合に、所定のアドレスにメールを送信する。これにより、ネット販売参考価格ｎｐ１と実売価格ａｐとの乖離を抑制することができる。
【００９３】
上記実施形態に係る電子棚札システム１では、ネット情報収集部６２ｂによって、所定の時間間隔でネット情報が収集される。判定部６２ｆは、ネット情報収集部６２ｂによってネット情報が収集される度に（あるいは、ネット販売参考価格が更新される度に）、実売価格ａｐおよびネット販売参考価格ｎｐ１の差と、所定の閾値とを比較し、当該差が、所定の閾値より大きい場合に、当該商品の担当者に所定のメールを送信する。所定のメールは、ネット販売参考価格ｎｐ１が実売価格ａｐよりも安く、かつ、ネット販売参考価格ｎｐ１と実売価格ａｐとの差が大きくなりすぎていることを、担当者に伝えるものである。したがって、当該メールを受け取った担当者は、実売価格ａｐの値引き或いは割引を検討することができる。
【００９４】
店頭で商品の購入を検討している需要者は、実売価格ａｐがネット販売参考価格ｎｐ１より少し高い場合であっても、商品が到着するまでの日数や、商品到着時の受け取りの手間等を考慮して、店頭での購入を決定する場合がある。しかし、実売価格ａｐがネット販売参考価格ｎｐ１よりも遥かに高い場合には、商品が到着するまでに多少日数がかかったとしても、あるいは、商品到着時の受け取りに手間がかかったとしても、オンラインショッピングで当該商品を購入する需要者が多いと考えられる。したがって、実売価格ａｐがネット販売参考価格ｎｐ１より高く、また、その差が大きく乖離する状態が続くことは好ましくない。
【００９５】
しかし、上記実施形態に係る電子棚札システム１では、実売価格ａｐとネット販売参考価格ｎｐ１との差が所定の閾値よりも大きくなった場合には、対象商品の担当者に向けてその旨を知らせるメールが送信される。これによって、担当者は、実売価格ａｐの変更を検討することができる。すなわち、ネット販売参考価格ｎｐ１に対して実売価格ａｐが高いことに起因する販売数の低下を抑制することができる。
【００９６】
（６）変形例
（６−１）変形例Ａ
上記実施形態に係る電子棚札システム１では、実売価格ａｐとネット販売参考価格ｎｐ１との差が所定の閾値よりも大きいと判定した場合、判定部６２ｆは、後述するメール送信部６２ｇに対してメールの送信を指令した後、コマンド生成部６２ｃに対してイメージ情報の更新を指令する。
【００９７】
ここで、判定部６２ｆは、メール送信部６２ｇに対してメールの送信を指令した後に、コマンド生成部６２ｃに対してイメージ情報の更新を指令しなくてもよい。すなわち、担当者が何らかのアクション（例えば、実売価格ａｐの変更）がとられるまで、ネット販売参考価格ｎｐ１が更新されないように設計されていてもよい。
【００９８】
（６−２）変形例Ｂ
上記実施形態に係る電子棚札システム１は、他のシステムとともに用いられてもよい。例えば、他のシステムとは、ＰＯＳシステムである。ＰＯＳシステムは、商品の販売に係る情報をその販売時点において収集分析するシステムである。ＰＯＳシステムは、主として、複数のレジスタと、ＰＯＳサーバとからなる。レジスタは、商品の精算を行う。ＰＯＳサーバでは、複数のレジスタで精算された商品に関する情報が集約される。電子棚札システム１と、ＰＯＳシステムとともに用いられることにより、商品の価格等の商品情報と、商品の販売数および在庫数等の商品情報とを統括的に管理することができる。
【００９９】
また、上記実施形態に係る電子棚札システム１におけるＥＳＬサーバ１０は、図示しない本部サーバとインターネットを介して接続されていてもよい。これにより、本部サーバで収集した情報を、各店舗に配置されたＥＳＬサーバ１０に対して一括して送信することができる。
【０１００】
（６−３）変形例Ｃ
上記実施形態に係るＥＳＬ４０では、表示部４２に、ネット販売参考価格ｎｐ１とともに、当該ネット販売参考価格ｎｐ１が取得された時刻（収集時刻）ｔｍが表示される構成を有する。
【０１０１】
ここで、表示部４２は、収集時刻ｔｍを表示しない構成であってもよい。但し、ネット販売参考価格ｎｐ１とともに、収集時刻ｔｍが表示されることによって、情報の信頼度を高めることができる。したがって、表示部４２には、ネット販売参考価格ｎｐ１とともに収集時刻ｔｍが表示されることが好ましい。
【０１０２】
（６−４）変形例Ｄ
上記実施形態に係るＥＳＬサーバ１０では、ネット情報収集部６２ｂによって、一のオンラインショッピングサイトのｗｅｂページから商品の価格に関する情報が収集される。また、ネット情報テーブル６１ｃには、オンラインショッピングの一のサイトのｗｅｂページから取得された情報が記憶される（図７参照）。
【０１０３】
ここで、ネット情報収集部（参考価格情報収集部）６２ｂは、複数のｗｅｂページを所定の時間間隔で巡回し、複数のネット販売参考価格ｎｐ１，ｎｐ２，ｎｐ３に関する情報を収集するように構成してもよい（図１１参照）。
【０１０４】
具体的に、ネット情報収集部６２ｂは、Ｗｅｂクローラであり、複数のｗｅｂページに掲載されている情報を収集してもよい。これにより、ネット情報テーブル６１ｃには、図１０に示すように、複数のオンラインショッピングサイトのｗｅｂページから取得される情報が記憶される。それにより、図１１に示すように、ＥＳＬ４０の表示部４２には、複数のネット販売参考価格ｎｐ１，ｎｐ２，ｎｐ３を表示することができる。その結果、複数のオンラインショッピングサイトから収集した商品に関するネット販売価格（ネット販売参考価格）ｎｐ１，ｎｐ２，ｎｐ３を、需要者に対して提供することが可能になる。これにより、店舗で販売されている商品の価格の妥当性のさらなる判断材料を需要者に提供することができる。
【０１０５】
（６−５）変形例Ｅ
上記実施形態に係る電子棚札システム１では、ネット情報収集部６２ｂによって収集されたネット販売参考価格ｎｐ１と実売価格ａｐとの差が、所定の閾値よりも大きい場合に、当該商品の担当者にその旨を知らせるメールを担当者の端末に送信する。その後、メールを受信した担当者が、実売価格ａｐの変更を行う。
【０１０６】
ここで、ＥＳＬサーバ１０は、担当者の端末にメールを送信する代わりに、自動的に実売価格ａｐを変更する構成を有していてもよい。例えば、ＥＳＬサーバ１０は、実売価格ａｐと、所定のオンラインショッピングサイトのｗｅｂページに掲載されている商品の販売価格との差が常に一定になるように、実売価格ａｐを自動変更する。すなわち、ＥＳＬサーバ１０は、ネット販売参考価格ｎｐ１が上がれば、実売価格ａｐもネット販売参考価格ｎｐ１と同じ額だけ上げる。また、ＥＳＬサーバ１０は、ネット販売参考価格ｎｐ１が下がれば、実売価格ａｐもネット販売参考価格ｎｐ１と同じ額だけ下げる。これにより、ネット販売参考価格ｎｐ１の変動に対して、商品の担当者が対応する手間を省略することができる。
【０１０７】
なお、このとき、実売価格ａｐの上限および／あるいは下限を予め設定しておいてもよい。それにより、オンラインショッピングサイトのｗｅｂページに誤った価格が掲載されていた場合に発生しうる損失を防ぐことができる。
【０１０８】
（６−６）変形例Ｆ
上記実施形態における出力部１４は、商品に関するＰＯＰを出力可能な構成を有する。ここで、制御装置１６は、実売価格ａｐが手動で変更された場合、あるいは、ネット販売参考価格ｎｐ１の変化に応じて実売価格ａｐが自動的に変更された場合に、出力部１４によって、新たな実売価格ａｐを反映したＰＯＰが印刷させるようにさらに機能してもよい。
【０１０９】
また、電子棚札システム１は、ＥＳＬ４０の近傍に、電子ＰＯＰ表示器をさらに備える構成とし、実売価格ａｐが手動で変更された場合、あるいは、ネット販売参考価格ｎｐ１の変化に応じて実売価格ａｐが自動的に変更された場合に、変更後のＰＯＰが、電子ＰＯＰ表示器に表示されるように構成されてもよい。
【符号の説明】
【０１１０】
１      電子棚札システム
１０    ＥＳＬサーバ（価格管理装置）
１１    通信部
１２    表示部
１３    入力部
１４    出力部
１５    報知部
１６    制御装置
２０    ベースステーション
３０    トランシーバ
４０    ＥＳＬ（電子棚札）
４１    通信部
４２    表示部
４３    制御装置
４３ａ  記憶部
４３ｂ  コマンド受付部（時刻情報取得部）
４３ｃ  表示制御部
６１    記憶部
６１ａ  商品マスタテーブル
６１ｂ  ＥＳＬマスタテーブル
６１ｃ  ネット情報テーブル
６１１  フィールド（収集時刻記憶部）
６１ｄ  担当者テーブル
６２    制御部
６２ａ  情報受付部
６２ｂ  ネット情報収集部（参考価格情報収集部）
６２ｃ  コマンド生成部
６２ｄ  情報送信部
６２ｅ  応答信号受付部
６２ｆ  判定部
６２ｇ  メール送信部
【先行技術文献】
【特許文献】
【０１１１】
【特許文献１】特開２０１３―０６５３４９号公報